(57)【特許請求の範囲】
【請求項１】
天井からの突出長が相異なる少なくとも２種類の引掛型天井配線器具に接続される照明器具取付装置であって、一の突出長をＨ１、他の突出長をＨ２とした場合において、
引掛型天井配線器具に引掛接続する栓刃を端面に有し、かつ、照明器具本体の重量が負荷される係合部と係合して当該照明器具本体を支持する少なくとも２段の支持部の支持段を有するとともに、引掛型天井配線器具に引掛接続された状態において天井から当該２段の支持段までの距離の差が（Ｈ１−Ｈ２）である第１の取付部材と、
前記第１の取付部材と係合するとともに、この第１の取付部材に対して、天井面と直交する方向に所定範囲で移動可能であって、一の引掛型天井配線器具とは干渉せず、他の引掛型天井配線器具と干渉する端部を有する第２の取付部材と、
自由な状態において前記端部が前記端面より突出した状態に維持すべく、前記第２の取付部材を前記第１の取付部材に対して相対的に付勢する弾性体とを備え、
前記第１の取付部材が前記一の引掛型天井配線器具に引掛接続されたとき前記第２の取付部材は下段側の支持段を隠して上段側の支持段が現れた状態とし、また、前記第１の取付部材が前記他の引掛型天井配線器具に引掛接続されたとき前記第２の取付部材の前記端部が前記弾性体に抗して押されることにより、前記第２の取付部材は前記第１の取付部材に対して移動し、この移動に基づいて、下段側の支持段が現れた状態とする
ことを特徴とする照明器具取付装置。
【請求項２】
前記端部は、前記第２の取付部材の外周に設けられたリング部であることを特徴とする請求項１記載の照明器具取付装置。
【請求項３】
前記第１の取付部材は複数個に分割されたセグメント部を有し、前記第２の取付部材はこれら複数のセグメント部の間隙に装填される形状を有することにより、互いに嵌合することを特徴とする請求項１記載の照明器具取付装置。
【発明の詳細な説明】
【０００１】
【発明の属する技術分野】
本発明は、天井に設けられた引掛シーリングや引掛埋込ローゼット等の引掛型天井配線器具に照明器具を取り付けるための照明器具取付装置に関する。
【０００２】
【従来の技術】
図１０は、従来一般に用いられている照明器具取付構造を示す斜視図である。図において、天井に設けられている引掛シーリング１０１に照明器具の器具本体部１０３を取り付けるには、まず、円盤状の照明器具取付装置１０２を引掛シーリング１０１に取り付ける。次に、器具本体部１０３の嵌合筒部１０４を照明器具取付装置１０２に外挿する。嵌合筒部１０４の内側には図示しないばねで内方に付勢された一対の爪１０５が設けられており、この爪１０５が照明器具取付装置１０２と係合して器具本体部１０３は保持される。爪１０５は照明器具取付装置１０２へ円滑に外挿されるように先端部がテーパ加工され、また、操作レバー１０６により強制的に開くように構成されている。
【０００３】
図１１は上記照明器具取付装置１０２を斜め下方から見た斜視図である。照明器具取付装置１０２の上面には引掛型天井配線器具に引掛接続するための一対の栓刃１０７が設けられている。また、側面の周方向には溝１０２ａが形成され、ここに略Ｃ字状（図１２参照）のリング１０８が装着されている。リング１０８は取り外しが可能であり、引掛型天井配線器具の種類に合わせて着脱される。
例えば引掛型天井配線器具が図１０に示すような引掛シーリング（完全露出型）１０１である場合は、リング１０８を装着した状態で器具本体部１０３を取り付ける。この場合、爪１０５はリング１０８の外周面上を乗り越えて照明器具取付装置１０２の上面に達し、ここに係合する。これにより器具本体部１０３が保持される。
一方、引掛型天井配線器具が、天井からの突出長が引掛シーリングより短い引掛埋込ローゼット（半埋込型）である場合は、リング１０８を取り外して溝１０２ａを塞がない状態にする。この場合、嵌合筒部１０４を照明器具取付装置１０２に外挿すると、爪１０５が溝１０２ａに係合する。従って、その位置で器具本体部１０３を安定保持することが可能になる。
【０００４】
このようにして、リング１０８の着脱により、高さ方向における、器具本体部１０３の取付位置を調節することができるように構成されている。この結果、引掛型天井配線器具の種類に関わらず、器具本体部１０３の上部と天井との距離を略一定に保つことができる。この器具本体部１０３の上部と天井との間には、器具本体部１０３のがたつきを抑えるためのスペーサ（虫よけを兼用したもの）が取り付けられる。
【０００５】
【発明が解決しようとする課題】
しかしながら、上記のような従来の照明器具取付装置では、取付作業者がリング１０８の着脱を間違える場合があった。例えば、引掛型天井配線器具が引掛シーリングであるにもかかわらず、取付作業者が誤ってリング１０８を外してしまった場合には、器具本体部１０３の取付はできるものの、その上面と天井との距離が適正値より大きくなる。この結果、特に横引きスイッチ（スイッチひもが水平に張架されてから垂下したもの）を備えた照明器具の場合、スイッチ操作によって器具本体部１０３が揺動して不安定になる。逆に、引掛型天井配線器具が引掛埋込ローゼットであるにもかかわらず、リング１０８を外さなかった場合は、器具本体部１０３が取り付けられなくなる。
このように、取付作業者がリング１０８の着脱を間違えると、照明器具の適正な取付ができなくなるという問題点があった。
【０００６】
上記のような従来の問題点に鑑み、本発明は、取付作業者の注意力に依存することなく、常に確実に器具本体部の適正な取付ができる照明器具取付装置を提供することを目的とする。
【０００７】
【課題を解決するための手段】
本発明の照明器具取付装置は、天井からの突出長が相異なる少なくとも２種類の引掛型天井配線器具に接続される照明器具取付装置であって、一の突出長をＨ１、他の突出長をＨ２とした場合において、引掛型天井配線器具に引掛接続する栓刃を端面に有し、かつ、照明器具本体の重量が負荷される係合部と係合して当該照明器具本体を支持する少なくとも２段の支持部の支持段を有するとともに、引掛型天井配線器具に引掛接続された状態において天井から当該２段の支持段までの距離の差が（Ｈ１−Ｈ２）である第１の取付部材と、前記第１の取付部材と係合するとともに、この第１の取付部材に対して、天井面と直交する方向に所定範囲で移動可能であって、一の引掛型天井配線器具とは干渉せず、他の引掛型天井配線器具と干渉する端部を有する第２の取付部材と、自由な状態において前記端部が前記端面より突出した状態に維持すべく、前記第２の取付部材を前記第１の取付部材に対して相対的に付勢する弾性体とを備え、前記第１の取付部材が前記一の引掛型天井配線器具に引掛接続されたとき前記第２の取付部材は下段側の支持段を隠して上段側の支持段が現れた状態とし、また、前記第１の取付部材が前記他の引掛型天井配線器具に引掛接続されたとき前記第２の取付部材の前記端部が前記弾性体に抗して押されることにより、前記第２の取付部材は前記第１の取付部材に対して移動し、この移動に基づいて、下段側の支持段が現れた状態とすることを特徴とするものである。
【０００８】
このように構成された照明器具取付装置においては、第１の取付部材が一の引掛型天井配線器具に引掛接続されたとき下段側の支持段が隠れて上段側の支持段が現れた状態となり、他方、第１の取付部材が他の引掛型天井配線器具に引掛接続されたとき第２の取付部材が第１の取付部材に対して移動し、この移動に基づいて、下段側の支持段が現れた状態となる。従って、引掛型天井配線器具の種類による天井面からの突出長の差が、天井から支持段までの距離の差によって相殺され、照明器具の器具本体部と天井面との距離を一定に保つことができる。
【００１１】
また、上記照明器具取付装置（請求項１）において、前記端部は、第２の取付部材の外周に設けられたリング部であってもよい（請求項２）。
このように構成された照明器具取付装置においては、リング部は、それ自身の内径より小さい外形寸法の引掛型天井配線器具には干渉せず、当該内径より大きい外形寸法の引掛型天井配線器具のみと干渉する。従って、外形寸法に応じて引掛型天井配線器具の種類を自動判別することができる。
【００１２】
また、上記照明器具取付装置（請求項１）において、第１の取付部材は複数個に分割されたセグメント部を有し、第２の取付部材はこれら複数のセグメント部の間隙に装填される形状を有することにより、互いに嵌合するものであってもよい（請求項３）。
このように構成された照明器具取付装置においては、互いに嵌合した状態における第１の取付部材及び第２の取付部材の、天井面と直交する方向における寸法が比較的小さく、嵌合状態も安定している。
【００１３】
【発明の実施の形態】
図１〜９は、本発明の一実施形態による照明器具取付装置に関する図面である。まず、図３〜７に基づいて、照明器具取付装置の構造について説明する。
図３は、照明器具取付装置を構成する１部材である固定側取付具１を示す図であり、（ａ）は平面図、（ｂ）は一部断面図を含む側面図、（ｃ）は底面図である。固定側取付具１は、その上面に、引掛型天井配線器具に引掛接続される一対の栓刃１１及び回り止め１２の先端部分がそれぞれ突出して設けられている。一方、下面には、栓刃１１と接続された一対のリード線端子１３（リード線の図示は省略する。）及び後述する他の部材との嵌合部１４等が設けられている。また、回り止め１２の軸部分が露出している。ねじ孔１ａは、固定側取付具１を上下に貫通して設けられている。
【００１４】
固定側取付具１は、（ａ）に示すように、上面側は円形の天板部１ｂを成している。一方、天板部１ｂを除く下面側は、（ｃ）に示すように、４つのセグメント部１ｃから構成されている。そして、周方向に隣接するセグメント間には９０度間隔で放射状に直線の溝空間１ｄが形成されている。また、セグメント部１ｃと嵌合部１４との間には円形の溝空間１ｅが形成されている。（ｂ）に示すようにセグメント部１ｃの側面外周は凹凸があり、中間の外周突起部を形成する支持部１ｆ及び下部の外周突起部を形成する支持部１ｇは、照明器具を支える機能を有している（詳細は後述する。）。なお、支持部１ｆの上面と支持部１ｇの上面との間の距離ｄＨは、本実施形態において照明器具取付装置の取付対象とする引掛型天井配線器具である引掛シーリングと引掛埋込ローゼットとの天井面からの突出長の差に相当する。
【００１５】
次に、図４は、照明器具取付装置を構成する他の部材である可動側取付具２を示す図であり、（ａ）は側面図、（ｂ）は平面図、（ｃ）は（ｂ）における図形の中心を通って紙面を真横に切るに相当する切断面から見た断面図である。
（ｂ）に示すように、可動側取付具２は、中央の円筒状部２ａ、そこから４方外方に９０度間隔で延びる平板状部２ｂ、並びに、外周リング状部２ｃ及び２ｄにより構成されている。これにより、平面的に見ると、中心部が円形の空間２ｅとなり、その回りに４つのセグメント形状の空間２ｆが形成されている。円筒状部２ａは固定側取付具１の嵌合部１４（図３）を嵌挿させることが可能な内径を有しており、また、セグメント形状の空間２ｆは固定側取付具１のセグメント部１ｃを嵌挿させる大きさと配置で形成されている。
【００１６】
次に、図５は、照明器具取付装置を構成するさらに他の部材である固定側補助取付具３を示す図であり、（ａ）は平面図、（ｂ）は断面図、（ｃ）は底面図である。（ａ）及び（ｂ）に示すように、固定側補助取付具３の上面には、後述するばねを受けるためのばね受け部３ａ、ねじ孔３ｂ、及び、回り止め１２の軸部分（図３の（ｃ）参照）を通すための孔３ｃ等が設けられている。一方、下面には、（ｂ）及び（ｃ）に示すように、引掛型天井配線器具に栓刃１１（図３）を引掛接続するときの捻回操作のためのつまみ部３ｃが設けられている。また、（ｃ）に示すように、つまみ部３ｃの側面に操作ボタン３１が設けられており、この操作ボタン３１の機構が回り止め１２の軸部分と係合するように配置されている。
【００１７】
なお、全体としては、固定側取付具１及び固定側補助取付具３は、照明器具を支持する支持部を有する第１の取付部材を構成する。また、可動側取付具２は第１の取付部材に対して、天井面と直交する方向に所定範囲で移動可能な第２の取付部材を構成する。
【００１８】
上記のように構成された各部は、図６に示すように組み立てられる。すなわち、可動側取付具２の上方から固定側取付具１を挿入し、下方からばね４を介して固定側補助取付具３を装着する。このとき、可動側取付具２の円筒状部２ａ及び平板状部２ｂ（図４）はそれぞれ固定側取付具１の空間１ｅ及び１ｄ（図３）に入り込む。そして、全体をねじ５とナット６とによって締結する。ねじ４は、固定側取付具１内の溝空間１ｅ（図３）と固定側補助取付具３のばね受け部３ａとによって形成される空間に装着される。
組立完成状態を図７に示す。この状態において、可動側取付具２は固定側取付具１の天板部１ｂ（図３）と固定側補助取付具３との間に挟み込まれており、ばね４は自由な状態である。可動側取付具２は、取付面（すなわち天井）に対して直交する方向に一定範囲でばね４に抗して上下動が可能である。可動側取付具２の外周リング状部２ｃは固定側取付具１の天板部１ｂより上方へ突出している。組立状態において、固定側取付具１と可動側取付具２とは、固定側取付具１のセグメント部１ｃ及び嵌合部１４が、それぞれ可動側取付具２の空間２ｆ及び円筒状部２ａに嵌挿されるので、天井面と直交する方向における全体寸法が比較的小さくなり、また、嵌合状態も安定している。
【００１９】
次に、以上のようにして組み立てられた照明器具取付装置を、引掛型天井配線器具に取り付ける場合の動作について説明する。
図８は、引掛型天井配線器具が引掛シーリング７である場合の照明器具取付装置５０の取付状態を示す側面図である。引掛シーリング７は引掛埋込ローゼットと比較すると、天井８からの突出長（すなわち高さ）Ｈ１が大きく、全幅Ｗ及び全長Ｌは比較的小さい。この全長Ｌ及び全幅Ｗともに可動側取付具２の外周リング状部２ｃの内径より小さい。従って、引掛シーリング７に照明器具取付装置５０を取り付けても外周リング状部２ｃはどこにも干渉しない。すなわち、照明器具取付装置５０は図７に示す組立状態のまま取り付けされ、支持部１ｆの上面側に凹部Ａが現れた状態となる。このときの天井面から支持部１ｆの上面（支持段）までの距離をＨｃとする。
【００２０】
図９は、引掛型天井配線器具が引掛埋込ローゼット９である場合の照明器具取付装置５０の取付状態を示す側面図である。引掛埋込ローゼット９は円盤状であり、引掛シーリング７と比較すると、天井８からの突出長Ｈ２が小さく、直径Ｄは比較的大きい。この直径Ｄは可動側取付具２の外周リング状部２ｃの外径より大きい。従って、引掛埋込ローゼット９に照明器具取付装置５０を取り付けるためには、外周リング状部２ｃが引掛埋込ローゼット９に当接した状態からさらに装置を押し上げて栓刃１１（図３）が引掛埋込ローゼット９の電極孔（図示せず）に届くようしなければならない。こうすることにより、必然的に外周リング状部２ｃはばね４に抗して相対的に押し下げられ、図に示す状態になる。外周リング状部２ｃが押し下げられたことで固定側取付具１と可動側取付具２との相対的な位置関係が変化し、支持部１ｆが相対的に上昇して、支持部１ｆと支持部１ｇ（外周リング状部２ｄと上面が実質的に面一の状態）との間の凹部Ｂが現れた状態となる。このときの天井面から支持部１ｇの上面（支持段）までの距離Ｈｒは、前述のＨｃとの比較において、引掛シーリング７と引掛埋込ローゼット９との突出長の差（Ｈ１−Ｈ２）の分が減少要因となるが、支持部１ｆと１ｇとの上面高さ位置の差ｄＨ（図３）が増加要因となる。ここで、前述のようにｄＨは引掛シーリング７と引掛埋込ローゼット９との天井面からの突出長の差に相当するので、ｄＨ=Ｈ１−Ｈ２である。従って、増加要因と減少要因が相殺し、結局、距離Ｈｒ=Ｈｃとなる。
【００２１】
図１及び図２は、引掛型天井配線器具に取り付けられた照明器具取付装置５０に照明器具の器具本体部５１を装着した状態を示す断面図であり、図１は、引掛型天井配線器具が引掛シーリング７である場合を、また図２は引掛型天井配線器具が引掛埋込ローゼット９である場合を、それぞれ示している。
図１において、器具本体部５１は筐体部５２と、その上部に取り付けられた天板部５３と、先端部がテーパ加工され、筐体部５２からばね５４により内側方向に付勢された係合部５５とを備えている。器具本体部５１を含む照明器具全体の重量は係合部５５に負荷される。器具本体部５１を照明器具取付装置５０に取り付けるには、図８に示した照明器具取付装置５０の取付完了状態から器具本体部５１を下方から外挿する。これにより、係合部５５が固定側補助取付具３に当接してばね５４に抗して外方へ拡げられる。こうして器具本体部５１の上昇とともに係合部５５は固定側補助取付具３を乗り越え、続いて、固定側取付具１の支持部１ｇ、可動側取付具２の外周リング状部２ｄ及び固定側取付具１の支持部１ｆを次々と乗り越える。最終的に支持部１ｆを乗り越えたところで係合部５５は「カチッ」と音を発しながら凹部Ａに嵌合する。これにより器具本体部５１は照明器具取付装置５０に確実に保持される。天井８の天井面と天板部５３の外周最上面との間には隙間Ｘｃが形成され、ここには虫よけ兼用のスペーサ５６が取り付けられる。
【００２２】
一方、図２に示すように引掛型天井配線器具が引掛埋込ローゼット９である場合においては、器具本体部５１の上昇とともに係合部５５は固定側補助取付具３を乗り越え、続いて、可動側取付具２の外周リング状部２ｄを乗り越える。ここで係合部５５は「カチッ」と音を発しながら凹部Ｂに嵌合する。これにより器具本体部５１は照明器具取付装置５０に確実に保持される。天井８の天井面と天板部５３の外周最上面と形成される隙間Ｘｒは、前述のように、引掛シーリング７の場合の天井面から支持部１ｆ上面までの距離Ｈｃ（図８）と引掛埋込ローゼット９の場合の天井面から支持部１ｇの上面までの距離Ｈｒが実質的に等しいことにより、引掛シーリング７の場合の隙間Ｘｃと実質的に等しい。すなわち、引掛型天井配線器具が引掛シーリング７であるか引掛埋込ローゼット９であるかに関わらず、天板部５３と天井面との隙間は一定である。従って、一定のスペーサ等を設けることにより、常に、器具本体部５１を安定して取り付けることができる。
【００２３】
なお、本実施形態においては、照明器具取付装置の取り付け対象を、引掛シーリング及び引掛埋込ローゼットとしたが、他の種類の引掛型天井配線器具にも適用できることはいうまでもない。また、支持部１ｆ及び１ｇの他にさらに支持部を設ければ、３以上の種類の引掛型天井配線器具に対しても、照明器具を一定の取付状態に取り付けることが可能である。また、ばね４の代わりに他の弾性体を用いることも可能である。
【００２４】
【発明の効果】
以上のように構成された本発明は以下の効果を奏する。
請求項１の照明器具取付装置によれば、第１の取付部材が一の引掛型天井配線器具に引掛接続されたとき下段側の支持段が隠れて上段側の支持段が現れた状態となり、他方、第１の取付部材が他の引掛型天井配線器具に引掛接続されたとき第２の取付部材が第１の取付部材に対して移動し、この移動に基づいて、下段側の支持段が現れた状態となるので、引掛型天井配線器具の種類による天井面からの突出長の差が、天井から支持段までの距離の差によって相殺され、照明器具の器具本体部と天井面との距離を一定に保つことができる。従って、常に確実に器具本体部を一定の状態に取り付けることができる。
【００２７】
請求項２の照明器具取付装置によれば、リング部は、それ自身の内径より小さい外形寸法の引掛型天井配線器具には干渉せず、当該内径より大きい外形寸法の引掛型天井配線器具のみと干渉するので、外形寸法に応じて引掛型天井配線器具の種類を自動判別することができる。従って、取付作業者は引掛型天井配線器具の種類に違いを特に意識することなく、確実に照明器具取付装置を取り付けることができる。
【００２８】
請求項３の照明器具取付装置によれば、互いに嵌合した状態における第１の取付部材及び第２の取付部材の、天井面と直交する方向における寸法が比較的小さく、嵌合状態も安定しているので、コンパクトで丈夫な照明器具取付装置を提供することができる。
【図面の簡単な説明】
【図１】引掛シーリングに取り付けられた本発明の照明器具取付装置に、照明器具の器具本体部を取り付けた状態を示す断面図である。
【図２】引掛埋込ローゼットに取り付けられた本発明の照明器具取付装置に、照明器具の器具本体部を取り付けた状態を示す断面図である。
【図３】本発明の照明器具取付装置を構成する固定側取付具を示す平面図、一部断面を含む側面図及び底面図である。
【図４】本発明の照明器具取付装置を構成する可動側取付具を示す側面図、平面図及び断面図である。
【図５】本発明の照明器具取付装置を構成する固定側補助取付具を示す平面図、断面図及び底面図である。
【図６】図３〜５に示した部材の組立過程を示す図である。
【図７】図６に示す組立過程を経て組み立てられた照明器具取付装置の側面図である。
【図８】上記照明器具取付装置を引掛シーリングに取り付けた状態を示す側面図である。
【図９】上記照明器具取付装置を引掛埋込ローゼットに取り付けた状態を示す側面図である。
【図１０】従来の照明器具取付装置により照明器具を取り付ける状態を示す斜視図である。
【図１１】従来の照明器具取付装置の斜視図である。
【図１２】従来の照明器具取付装置に取り付けられているリングの斜視図である。
【符号の説明】
１          固定側取付具
１ｂ        天板部
１ｃ        セグメント部
１ｆ,１ｇ   支持部
２          可動側取付具
２ｃ,２ｄ   外周リング状部
２ｆ        空間
３          固定側補助取付具
４          ばね
７          引掛シーリング
８          天井
９          引掛埋込ローゼット
１１        栓刃
５０        照明器具取付装置
５１        器具本体部
５５        係合部
【図１】
0003698522.tif 000002
【図２】
0003698522.tif 000003
【図３】
0003698522.tif 000004
【図４】
0003698522.tif 000005
【図５】
0003698522.tif 000006
【図６】
0003698522.tif 000007
【図７】
0003698522.tif 000008
【図８】
0003698522.tif 000009
【図９】
0003698522.tif 000010
【図１０】
0003698522.tif 000011
【図１１】
0003698522.tif 000012
【図１２】
0003698522.tif 000013